(57)【要約】【課題】需要が増加する時間帯に消費電力削減を行う。【解決手段】外部から送信された電力消費を推奨する時間帯を示す情報を、通信ネットワークを介して受信し、一以上の宅内機器から通知され、電力需要家が要求した宅内機器の動作時間を示す情報を保存し、電力消費を推奨する時間帯を充足するように宅内機器の動作時間を割り当てることにより宅内機器制御スケジュールを作成し、宅内機器制御スケジュールに基づいて、宅内機器を制御する。【選択図】      図２
2015133781.tif 000002
【特許請求の範囲】
【請求項１】
外部から通信ネットワークを介して電力消費を推奨する時間帯の通知を受けて電力需要家の宅内機器の制御を行う宅内機器制御装置であって、
外部から送信された電力消費を推奨する時間帯を示す情報を、前記通信ネットワークを介して受信し保存する手段と、
一以上の前記宅内機器から通知され、前記電力需要家が要求した前記宅内機器の動作時間を示す情報を保存する手段と、
前記電力消費を推奨する時間帯を充足するように前記宅内機器の動作時間を割り当てることにより宅内機器制御スケジュールを作成する手段と、
前記宅内機器制御スケジュールに基づいて、前記一以上の宅内機器を制御する手段と
を備えることを特徴とする宅内機器制御装置。
【請求項２】
外部から電力消費を推奨する時間帯の通知を受けた電力需要家の宅内機器の制御を行う宅内機器制御装置であって、
外部から送信された電力消費を推奨する時間帯を示す情報を、通信ネットワークを介して受信し保存する手段と、
一以上の前記宅内機器から通知され、前記電力需要家が要求した前記宅内機器の動作時間を示す情報を前記通信ネットワークを介して受信し保存する手段と、
前記電力消費を推奨する時間帯を充足するように前記宅内機器の動作時間を割り当てることにより宅内機器制御スケジュールを作成する手段と、
前記宅内機器制御スケジュールに基づいて、前記一以上の宅内機器を制御する手段と
を備えることを特徴とする宅内機器制御装置。
【請求項３】
外部から電力消費を推奨する時間帯の通知を受けた電力需要家からの依頼により通信ネットワークを介して宅内機器制御スケジュールを提供する情報提供装置であって、
外部から送信された電力消費を推奨する時間帯を示す情報を、前記通信ネットワークを介して受信し保存する手段と、
一以上の前記宅内機器から通知され、前記電力需要家が要求した前記宅内機器の動作時間を示す情報を宅内機器制御装置及び前記通信ネットワークを介して受信し保存する手段と、
前記電力消費を推奨する時間帯を充足するように前記宅内機器の動作時間を割り当てることにより宅内機器制御スケジュールを作成して前記通信ネットワークを介して前記宅内機器制御装置へ提供する手段と、
を備えることを特徴とする情報提供装置。
【請求項４】
外部から電力消費を推奨する時間帯の通知を受けて電力需要家の宅内機器の制御を行う宅内機器制御方法であって、
外部から通知された電力消費を推奨する時間帯を示す情報を取得する工程と、
一以上の前記宅内機器から通知され、前記電力需要家が要求した前記宅内機器の動作時間を示す情報を取得する工程と、
前記電力消費を推奨する時間帯を充足するように前記宅内機器の動作時間を割り当てることにより宅内機器制御スケジュールを作成する工程と、
前記宅内機器制御スケジュールに基づいて、前記一以上の宅内機器を制御する工程と
を備えることを特徴とする宅内機器制御方法。
【発明の詳細な説明】
【技術分野】
【０００１】
本発明は、宅内機器制御装置、情報提供装置、宅内機器制御方法に関する。
【背景技術】
【０００２】
電力不足が中長期的に継続することが見込まれているなかで、電力需給の逼迫を防止すべく、電力を効率的に利用し、消費電力を削減する技術が求められている。
【０００３】
そこで、下記特許文献１、２の通り、電気機器を制御し電力を効率的に利用するための技術が提案されている。
【０００４】
特許文献１には、ＲＦＩＤタグによりユーザの施設への出入りを認識し、このユーザの存在状況に基づいて家電機器の制御を行う自動制御システム及び自動制御方法が記載されている。
【０００５】
特許文献２には、在宅モード時に設置室内に人が不在の場合には、エアコンをセーブ運転して一定時間経過後に運転停止し、かつ、照明器具を消灯又は低照度点灯し、また、留守モード時は、昼間には照明器具を消灯し、夜間には照明器具を点灯して夜半には消灯し、留守モード時に人感センサとマイクロフォンにより設置室内に人の存在を検出した場合には、携帯電話に警報を送信するセキュリティロボットが記載されている。
【先行技術文献】
【特許文献】
【０００６】
【特許文献１】特開２００５−３２０８２８号公報
【特許文献２】特開２００６−３１８１７３号公報
【発明の概要】
【発明が解決しようとする課題】
【０００７】
消費電力の削減は、夏季の昼間時間帯や夜のはじめ頃など、需要が増加する時間帯において行うことが求められる。
しかしながら、特許文献１、２に記載の技術では、宅内に人が存在するか否かで電気機器の制御を行い消費電力を削減するものであるため、電力需要が多い時間帯に消費電力削減を行うことは難しい。
【０００８】
このような電力需給状況に依存しない消費電力削減では、供給力に余裕のあるときでも消費電力を抑制することとなり電力平準化の観点で好ましくない場合があり、逆に供給力が不足するときに一層の節電が要求されたとしても対応することができないという問題がある。
【０００９】
本発明の目的は、上記の問題に鑑みてなされたものであり、電力需要が多い時間帯に消費電力削減を行い得る宅内機器制御装置、情報提供装置、宅内機器制御方法を提供することにある。
【課題を解決するための手段】
【００１０】
上記目的を達成するために本発明に係る宅内機器制御装置は、外部から通信ネットワークを介して電力消費を推奨する時間帯の通知を受けて電力需要家の宅内機器の制御を行う宅内機器制御装置であって、外部から送信された電力消費を推奨する時間帯を示す情報を、前記通信ネットワークを介して受信し保存する手段と、一以上の宅内機器から通知され、電力需要家が要求した宅内機器の動作時間を示す情報を保存する手段と、前記電力消費を推奨する時間帯を充足するように前記宅内機器の動作時間を割り当てることにより宅内機器制御スケジュールを作成する手段と、前記宅内機器制御スケジュールに基づいて、前記一以上の宅内機器を制御する手段とを備えるようにしたものである。
【００１１】
また、上記目的を達成するために本発明に係る宅内機器制御装置は、外部から電力消費を推奨する時間帯の通知を受けた電力需要家の宅内機器の制御を行う宅内機器制御装置であって、外部から送信された電力消費を推奨する時間帯を示す情報を、通信ネットワークを介して受信し保存する手段と、一以上の宅内機器から通知され、電力需要家が要求した宅内機器の動作時間を示す情報を前記通信ネットワークを介して受信し保存する手段と、  前記電力消費を推奨する時間帯を充足するように前記宅内機器の動作時間を割り当てることにより宅内機器制御スケジュールを作成する手段と、前記宅内機器制御スケジュールに基づいて、前記一以上の宅内機器を制御する手段とを備えるようにしたものである。
【００１２】
また、上記目的を達成するために本発明に係る情報提供装置は、外部から電力消費を推奨する時間帯の通知を受けた電力需要家からの依頼により通信ネットワークを介して宅内機器制御スケジュールを提供する情報提供装置であって、外部から送信された電力消費を推奨する時間帯を示す情報を、前記通信ネットワークを介して受信し保存する手段と、一以上の宅内機器から通知され、電力需要家が要求した宅内機器の動作時間を示す情報を宅内機器制御装置及び前記通信ネットワークを介して受信し保存する手段と、前記電力消費を推奨する時間帯を充足するように前記宅内機器の動作時間を割り当てることにより宅内機器制御スケジュールを作成して前記通信ネットワークを介して前記宅内機器制御装置へ提供する手段とを備えるようにしたものである。
【００１３】
さらに、上記目的を達成するために本発明に係る宅内機器制御方法は、外部から電力消費を推奨する時間帯の通知を受けて電力需要家の宅内機器の制御を行う宅内機器制御方法であって、外部から通知された電力消費を推奨する時間帯を示す情報を取得する工程と、一以上の宅内機器から通知され、電力需要家が要求した宅内機器の動作時間を示す情報を取得する工程と、前記電力消費を推奨する時間帯を充足するように前記宅内機器の動作時間を割り当てることにより宅内機器制御スケジュールを作成する工程と、前記宅内機器制御スケジュールに基づいて、前記一以上の宅内機器を制御する工程とを備えるようにしたものである。
【発明の効果】
【００１４】
本発明に係る宅内機器制御装置、情報提供装置、宅内機器制御方法によれば、需要が少ない時間帯における電力消費が促進されることにより、相対的に需要が多い他の時間帯の消費電力削減を行うことができる。
【図面の簡単な説明】
【００１５】
【図１】本発明の第１の実施形態の一例のシステム構成図。
【図２】本発明の第１の実施形態における、宅内機器制御動作シーケンス図。
【図３】本発明の第１の実施形態における、宅内機器制御動作のフローチャート。
【図４】本発明の第１の実施形態における、洗濯機の動作が電力消費推奨時間帯に実行される例を説明するために示す図。
【図５】本発明の第２の実施形態の一例のシステム構成図。
【図６】本発明の第３の実施形態の一例のシステム構成図。
【発明を実施するための形態】
【００１６】
本発明に係る宅内機器制御装置では、外部から送信された電力消費を推奨する時間帯を示す情報を、通信ネットワークを介して受信し、一以上の宅内機器から通知された需要家が要求した宅内機器の動作時間を示す情報を保存し、電力消費を推奨する時間帯を充足するように宅内機器の動作時間を割り当てることにより宅内機器制御スケジュールを作成し、この宅内機器制御スケジュールに基づいて宅内機器を制御する。
【００１７】
以下に、本発明の実施形態を、電力事業者が電力消費推奨時間帯を送信する場合について説明するが、この形態に限られるものではない。
（第１の実施形態）
図１は、本発明の第１の実施形態の一例を説明する図である。電力事業者１は送電設備６及び送配電網４により電力需要家３1〜nへ電力供給を行い、電力事業者１はサーバ７を有し、通信ネットワーク５を介して電力需要家３1〜nのＨＥＭＳ（Home Energy Management System）サーバ１０1〜n（図１では１０1のみ図示）へ電力消費を推奨する時間帯を通知して、その時間帯における電力消費を促す。電力需要家３1〜nでは送配電網４から受電した電力は分電盤９1〜nにおいて分配され宅内機器１１1〜n（図１では１１1のみ図示）へ供給される。
【００１８】
また、ある電力需要家３1の制御対象となる宅内機器１１1として、洗濯機、衣類乾燥機、食器洗い機を想定する。これらの宅内機器は、例えば、洗濯機は、衣類と洗剤を投入しスタートボタンを押せば後は洗濯完了まで自動で動作するように、最初に必要な動作を設定しておけば自動で動作するものである。
【００１９】
各宅内機器１１1はＨＥＭＳサーバ１０1と有線若しくは無線による通信により接続され、宅内機器１１1の動作設定をＨＥＭＳサーバ１０1へ通知する機能と、ＨＥＭＳサーバ１０1から動作を制御される機能とを有する。宅内機器１１1は、電力需要家３1から所望の動作の設定は受け付けるが、動作はＨＥＭＳサーバ１０1からの指令を待って行われる。
【００２０】
宅内機器制御の流れは、以下の通りであり、図２は動作シーケンスを示す。
電力事業者１（サーバ７）は、電力需給見込みなどに基づいて、時間帯と電力需要家３1〜n毎の消費電力を指定して電力消費依頼を送信し、これを電力需要家３1のＨＥＭＳサーバ１０1が受信して保存する（図２（１））。
【００２１】
電力需要家３1は、自らの必要に応じて宅内機器１１1の動作を設定する（図２（２））。
ＨＥＭＳサーバ１０1は、宅内機器１１1が（２）の設定を基に求めた動作時間を収集して保存する（図２（３））。
【００２２】
ＨＥＭＳサーバ１０1は宅内機器の動作時間を、電力消費を推奨する時間帯を充足するように割り当てることにより宅内機器制御スケジュールを作成する（図２（４））。
ＨＥＭＳサーバ１０1は、宅内機器制御スケジュールに基づいて、電力需要家３1の宅内機器１１1を制御する（図２（５））。
【００２３】
これらの動作について、それぞれ以下に詳細に説明する。
（電力事業者１（サーバ７）から電力需要家３1（ＨＥＭＳサーバ１０1）への電力消費依頼（図２（１）））  
電力事業者１は、電力需要の変動に応じて火力発電所の出力を変動させる等の発電量調整を行うことができるが、原子力発電等の発電量が一定に維持される発電方式では、電力需要が少なくなったときでも発電量を減少させることが困難な場合があり、電力供給力が電力需要を上回ることがある。
【００２４】
そこで、電力事業者１は、電力供給力が電力需要を上回ることが予想される場合には、各電力需要家３1〜nに対して、電力消費を促進すべく、時間帯を指定して、電力消費依頼を作成する。この場合、各電力需要家３1〜nに対して、一律に電力消費依頼を作成してもよく、電力需要家３1〜n毎に異なる時間帯、消費電力としてもよい。
【００２５】
電力消費依頼においては、電力消費を推奨する時間帯について、電気料金の割引やポイント付与が設定される。
そして、電力事業者１のサーバ７が電力消費依頼を送信し、これを電力需要家３1〜nのＨＥＭＳサーバ１０1〜nが受信して保存する。
【００２６】
（電力需要家３1〜nにおける宅内機器１１1〜nの動作を設定（図２（２）））
電力需要家３1〜nは、必要に応じて、宅内機器１１1〜nを動作させるための準備を行い、動作設定を行う。洗濯機であれば、衣類と洗剤を投入し、洗濯コースを選択し、動作待機状態とする。この状態であれば、ＨＥＭＳサーバ１０1〜nから動作開始の指令を受けて動作を始めることが可能となる。
【００２７】
（ＨＥＭＳサーバ１０1〜nにおいて、宅内機器１１1〜nが図２（２）の設定を基に求めた動作時間を収集し保存（図２（３）））
宅内機器１１1〜nにおいては動作設定がされると（動作待機状態）、設定された動作を完了するために必要な動作時間を算出し、ＨＥＭＳサーバ１０1〜nへ通知する。ＨＥＭＳサーバ１０1〜nでは、各宅内機器１１1〜nからの動作時間を収集して保存する。
【００２８】
（ＨＥＭＳサーバ１０1〜nにおいて、宅内機器制御スケジュールを作成（図２（４）））
宅内機器制御スケジュールにおいて、指定された電力消費推奨時間帯に宅内機器１１1〜nが動作するように、宅内機器１１1〜nの動作が割り当てられる。
【００２９】
（ＨＥＭＳサーバ１０1〜nにおける電力需要家３1〜nの宅内機器１１1〜nの制御（図２（５）））
指定された電力消費推奨時間帯を示す情報が到来すると、ＨＥＭＳサーバ１０1〜nは宅内機器制御スケジュールのその時間帯における動作が割り当てられている宅内機器１１1〜nに動作開始の指令を送信する。この指令を受けて宅内機器１１1〜nは、設定された動作を開始する。
【００３０】
図３は、ＨＥＭＳサーバ１０1〜nが行う宅内機器１１1〜nの制御を説明するフローチャートである。この制御は、上記図２（２）の動作設定がされているときに単位時間ごとに、機器ごとに実行される。図３に示すフローチャートは、宅内機器１１1〜nの一つである機器Ｘについての制御であり、動作設定がなされている全ての宅内機器１１1〜nについて、それぞれ同様の制御が実行される。ここで、宅内機器１１1〜nに設定した動作が完了したときはその動作設定は削除されるため、その後再び動作設定されるまでは制御は実行されない（図３の※１）。
【００３１】
制御を開始すると、ＨＥＭＳサーバ１０1〜nはステップＳ１において（現在時刻＋機器Ｘの動作時間）が完了期限時刻以前であるか否かの判断を行い、完了期限時刻以前である場合（ＹＥＳ）はステップＳ２へ進み、そうでない場合（ＮＯ）はステップＳ５へ進む。
【００３２】
ステップＳ２において、ＨＥＭＳサーバ１０1〜nは電力消費依頼を受信しているか否かの判断を行い、受信している場合（ＹＥＳ）はステップＳ３へ進み、そうでない場合（ＮＯ）は制御を終了する。ここでの電力消費依頼は、現在時刻以降に推奨時間帯があるもののみを対象とする（※２）。
【００３３】
ステップＳ３において、ＨＥＭＳサーバ１０1〜nは（現在時刻＋機器Ｘの動作時間）が推奨時間帯の終了時刻以前であるか否かの判断を行い、終了時刻以前である場合（ＹＥＳ）は制御を終了し、そうでない場合（ＮＯ）はステップＳ４へ進む。
【００３４】
ステップＳ４において、ＨＥＭＳサーバ１０1〜nは機器Ｘへ動作を指令して制御を終了する。ここで、機器Ｘが既に動作中である場合は動作指令を継続する。また、機器Ｘに設定された動作が完了している場合は、動作指令が来た場合でも機器Ｘは動作しない（※３）。
【００３５】
ステップＳ５において、ＨＥＭＳサーバ１０1〜nは機器Ｘへ動作を指令して制御を終了する（※３）。
【００３６】
図４は、具体的な制御例を説明する図である。この例では、宅内機器１１1は洗濯機のみとし、電力需要家３1が設定した洗濯機動作が電力消費推奨時間帯に指定された深夜時間帯に行われる。
【００３７】
９月２１日  １８：００  
電力事業者１（サーバ７）は電力需要家３1（ＨＥＭＳサーバ１０1）へ、９月２２日２：００〜４：００を電力消費推奨時間帯と指定して電力消費依頼を送信し、ＨＥＭＳサーバ１０1はこれを受信して保存する（図４（１））。
【００３８】
９月２１日  ２０：００
電力需要家３1は、洗濯をしようと考え、洗濯機へ衣類及び洗剤を投入の上、一般的な洗濯、すすぎ、脱水を行う洗濯コースを選択して動作設定を行い、動作待機状態とする（図４（２））。
【００３９】
９月２１日  ２０：００（上記図４（２）の直後）
洗濯機（宅内機器１１1）は、電力需要家３1が設定した動作（洗濯コース）の完了に必要な動作時間を計算した結果、２時間と算出したので、これをＨＥＭＳサーバ１０1へ通知する（図４（３））。
【００４０】
９月２１日  ２０：００（上記図４（３）の直後）
電力消費推奨時間帯は２時間（９月２２日２：００〜４：００）、洗濯機（宅内機器１１）の動作時間は２時間であるため、電力消費推奨時間帯を充足するためには洗濯機の動作時間をそのまま当て嵌めればよい。よって、宅内機器制御スケジュールは、「９月２２日２：００〜４：００  洗濯機を動作」となる（図４（４））。
【００４１】
９月２２日  ２：００
作成された宅内機器制御スケジュール「９月２２日２：００〜４：００  洗濯機を動作」の開始時間が到来し、ＨＥＭＳサーバ１０1は洗濯機（宅内機器１１1）に対して動作を指令し、洗濯機は洗濯を開始する（図４（５））。この後、洗濯機の動作時間は２時間であるから、４：００になると動作が完了する。
【００４２】
本第１の実施形態においては、電力消費推奨時間帯の送信を電力事業者１が行っているが、これに限らず、「電力事業者から委託を受けたサービス事業者２」(アグリゲータ等)が行うことも可能である。すなわち、電力需給の安定化を望む電力事業者が、自ら電力消費推奨時間帯の送信を行う必要性は必ずしもなく、個々の電力需要家との通信ネットワークを持ち通信サービスを提供する事業者などに、電力消費推奨時間帯の送信を代行させることができる。
【００４３】
（第２の実施形態）
先の第１の実施形態においては、電力消費推奨時間帯を受信して、宅内機器１１から動作時間を収集し、宅内機器制御スケジュールを作成し、宅内機器１１を制御する機能は「電力需要家３宅内にある」ＨＥＭＳサーバ１０が持つが、これに限らず、これら機能を電力需要家３の外に設置することも可能である。
【００４４】
図５は、本発明の第２の実施形態の一例を説明する図である。
この場合、図５に示すように、電力消費推奨時間帯を受信する機能、宅内機器１１から動作時間を収集する機能、宅内機器制御スケジュールを作成する機能、宅内機器１１を制御する機能は電力事業者１とは別のサービス事業者２のサーバ８が受け持つようにし、電力需要家３1〜n はＨＥＭＳサーバ１０を持たず、替わりに通信ネットワーク５と宅内機器１１を接続するＨＧＷ（Home Gateway）１２1〜n （図５では１２1のみ図示）を持つようにする。
【００４５】
このように上記第２の実施形態であれば、電力需要家３1〜nは安価なＨＧＷ１２1〜nを設置するだけで、需要が増加する時間帯に消費電力削減を行うことが可能となる。
【００４６】
（第３の実施形態）
また、電力消費推奨時間帯を受信する機能、宅内機器１１から動作時間を収集する機能、宅内機器制御スケジュールを作成する機能、宅内機器１１を制御する機能のうち、宅内機器制御スケジュールを作成する機能だけをサービス事業者２のサーバ８が持ち、残りの機能はＨＥＭＳサーバ１０に残すことも可能である。
【００４７】
図６は、本発明の第３の実施形態の一例を説明する図である。
すなわち、図６のように、例えば電力消費推奨時間帯を受信したＨＥＭＳサーバ１０1は、電力消費推奨時間帯の情報と宅内機器１１1から収集した宅内機器１１1の動作時間情報をサーバ８へ送信して宅内機器制御スケジュールの作成を依頼する。
【００４８】
次に、サーバ８は宅内機器１１1の動作時間を電力消費推奨時間帯を充足するように割り当てることにより宅内機器制御スケジュールを作成し、ＨＥＭＳサーバ１０1へ返送する。そして、ＨＥＭＳサーバ１０1は作成されたスケジュールの通り宅内機器１１1を制御する。
【００４９】
このように上記第３の実施形態であれば、例えばＨＥＭＳサーバ１０1の宅内機器制御スケジュールを作成する機能をサービス事業者２のサーバ８に分担することが可能となる。
【００５０】
（上記各実施形態による効果）
上記各実施形態により、電力事業者(又はその代行業者)が電力消費を推奨する時間帯を電力需要家に通信ネットワークを通じて通知し、電力消費推奨時間帯に電力需要家が設定した宅内機器が自動で動作することとなるため、需要が増加する時間帯に消費電力削減を行うことが可能となる。
【００５１】
（その他の実施形態）
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【符号の説明】
【００５２】
１…電力事業者、２…サービス事業者、３…電力需要家、４…送配電網、５…通信ネットワーク、６…送電設備、７，８…サーバ、９…分電盤、１０…ＨＥＭＳサーバ、１１…宅内機器。
【図１】
2015133781.tif 000003
【図２】
2015133781.tif 000004
【図３】
2015133781.tif 000005
【図４】
2015133781.tif 000006
【図５】
2015133781.tif 000007
【図６】
2015133781.tif 000008
【手続補正書】
【提出日】平成27年1月7日(2015.1.7)
【手続補正２】
【補正対象書類名】特許請求の範囲
【補正対象項目名】全文
【補正方法】変更
【補正の内容】
【特許請求の範囲】
【請求項１】
外部から通信ネットワークを介して電力消費を推奨する時間帯の通知を受けて電力需要家の宅内機器の制御を行う宅内機器制御装置であって、
外部から送信された電力消費を推奨する時間帯を示す情報を、前記通信ネットワークを介して受信し保存する手段と、
一以上の前記宅内機器から通知され、前記電力需要家が要求した前記宅内機器の動作時間を示す情報を保存する手段と、
前記電力消費を推奨する時間帯を充足するように前記宅内機器の動作時間を割り当てることにより宅内機器制御スケジュールを作成する手段と、
前記宅内機器制御スケジュールに基づいて、前記一以上の宅内機器を制御するとともに、前記電力消費を推奨する時間帯の終了時刻であるか否かの判断を行い、終了時刻であり前記宅内機器が既に動作中である場合に前記宅内機器に対する動作指令を継続し、終了時刻であり前記宅内機器に設定された動作が完了している場合に、前記宅内機器を動作させない手段と
を備えることを特徴とする宅内機器制御装置。
【請求項２】
外部から電力消費を推奨する時間帯の通知を受けた電力需要家の宅内機器の制御を行う宅内機器制御装置であって、
外部から送信された電力消費を推奨する時間帯を示す情報を、通信ネットワークを介して受信し保存する手段と、
一以上の前記宅内機器から通知され、前記電力需要家が要求した前記宅内機器の動作時間を示す情報を前記通信ネットワークを介して受信し保存する手段と、
前記電力消費を推奨する時間帯を充足するように前記宅内機器の動作時間を割り当てることにより宅内機器制御スケジュールを作成する手段と、
前記宅内機器制御スケジュールに基づいて、前記一以上の宅内機器を制御するとともに、前記電力消費を推奨する時間帯の終了時刻であるか否かの判断を行い、終了時刻であり前記宅内機器が既に動作中である場合に前記宅内機器に対する動作指令を継続し、終了時刻であり前記宅内機器に設定された動作が完了している場合に、前記宅内機器を動作させない手段と
を備えることを特徴とする宅内機器制御装置。
【請求項３】
外部から電力消費を推奨する時間帯の通知を受けて電力需要家の宅内機器の制御を行う宅内機器制御方法であって、
外部から通知された電力消費を推奨する時間帯を示す情報を取得する工程と、
一以上の前記宅内機器から通知され、前記電力需要家が要求した前記宅内機器の動作時間を示す情報を取得する工程と、
前記電力消費を推奨する時間帯を充足するように前記宅内機器の動作時間を割り当てることにより宅内機器制御スケジュールを作成する工程と、
前記宅内機器制御スケジュールに基づいて、前記一以上の宅内機器を制御するとともに、前記電力消費を推奨する時間帯の終了時刻であるか否かの判断を行い、終了時刻であり前記宅内機器が既に動作中である場合に前記宅内機器に対する動作指令を継続し、終了時刻であり前記宅内機器に設定された動作が完了している場合に、前記宅内機器を動作させない工程と
を備えることを特徴とする宅内機器制御方法。
【手続補正書】
【提出日】平成27年4月22日(2015.4.22)
【手続補正１】
【補正対象書類名】特許請求の範囲
【補正対象項目名】全文
【補正方法】変更
【補正の内容】
【特許請求の範囲】
【請求項１】
外部から通信ネットワークを介して電力消費を推奨する時間帯の通知を受けて電力需要家の宅内機器の制御を行う宅内機器制御装置であって、
外部から送信された電力消費を推奨する時間帯を示す情報を、前記通信ネットワークを介して受信し保存する手段と、
一以上の前記宅内機器から通知され、前記電力需要家が要求した前記宅内機器の動作時間を示す情報を保存する手段と、
前記電力消費を推奨する時間帯を充足するように前記宅内機器の動作時間を割り当てることにより宅内機器制御スケジュールを作成する手段と、
前記宅内機器制御スケジュールに基づいて、前記一以上の宅内機器を制御するとともに、現在時刻に前記宅内機器の動作時間を加算した時刻が前記電力消費を推奨する時間帯の終了時刻以前であるか否かの判断を行い、終了時刻以前でない場合に、前記宅内機器へ動作を指令して制御を終了し、終了時刻以前でなく前記宅内機器が既に動作中である場合に前記宅内機器に対する動作指令を継続する手段と
を備えることを特徴とする宅内機器制御装置。
【請求項２】
外部から電力消費を推奨する時間帯の通知を受けた電力需要家の宅内機器の制御を行う宅内機器制御装置であって、
外部から送信された電力消費を推奨する時間帯を示す情報を、通信ネットワークを介して受信し保存する手段と、
一以上の前記宅内機器から通知され、前記電力需要家が要求した前記宅内機器の動作時間を示す情報を前記通信ネットワークを介して受信し保存する手段と、
前記電力消費を推奨する時間帯を充足するように前記宅内機器の動作時間を割り当てることにより宅内機器制御スケジュールを作成する手段と、
前記宅内機器制御スケジュールに基づいて、前記一以上の宅内機器を制御するとともに、現在時刻に前記宅内機器の動作時間を加算した時刻が前記電力消費を推奨する時間帯の終了時刻以前であるか否かの判断を行い、終了時刻以前でない場合に、前記宅内機器へ動作を指令して制御を終了し、終了時刻以前でなく前記宅内機器が既に動作中である場合に前記宅内機器に対する動作指令を継続する手段と
を備えることを特徴とする宅内機器制御装置。
【請求項３】
外部から電力消費を推奨する時間帯の通知を受けて電力需要家の宅内機器の制御を行う宅内機器制御方法であって、
外部から通知された電力消費を推奨する時間帯を示す情報を取得する工程と、
一以上の前記宅内機器から通知され、前記電力需要家が要求した前記宅内機器の動作時間を示す情報を取得する工程と、
前記電力消費を推奨する時間帯を充足するように前記宅内機器の動作時間を割り当てることにより宅内機器制御スケジュールを作成する工程と、
前記宅内機器制御スケジュールに基づいて、前記一以上の宅内機器を制御するとともに、現在時刻に前記宅内機器の動作時間を加算した時刻が前記電力消費を推奨する時間帯の終了時刻以前であるか否かの判断を行い、終了時刻以前でない場合に、前記宅内機器へ動作を指令して制御を終了し、終了時刻以前でなく前記宅内機器が既に動作中である場合に前記宅内機器に対する動作指令を継続する工程と
を備えることを特徴とする宅内機器制御方法。